(57)【要約】【課題】  可動側翼板を扉に固着するボルトの隠蔽用カバー板が、扉閉鎖状態においては可動側翼板から取り外せないようにした自動閉鎖型蝶番を提供する。【解決手段】  可動側翼板４にポケット部１５を形成し、ポケット部１５の底壁部１６に扉３への固着用ボルト１７の挿入孔１８を形成し、底壁部１６に一対の支持壁部２０，２１を突出形成し、扉閉鎖時に固定側翼板２に対面する支持壁部２０に螺子孔２２を形成し、他方の支持壁部２１に接合用スリット２３を形成し、カバー板１９の一方の側壁部１９ａに接合用突起２４を形成し、カバー板１９の他方の側壁部１９ｂに受孔２５を形成する。カバー板１９の接合用突起２４を支持壁部２１の接合用スリット２３に嵌め込み、カバー板１９の受孔２５より固定用ビス２６を支持壁部２０の螺子孔２２に捻じ込むことによって、カバー板１９を可動側翼板４に固着する。【選択図】  図３
2005171698.tif 000002
【特許請求の範囲】
【請求項１】
固定枠体１に固着される固定側翼板２と、扉３に固着される可動側翼板４と、固定側翼
板２の垂直軸孔５の底部に設けられ、上面部にカム斜面７を形成した固定カム体６と、固
定側翼板２の垂直軸孔５に旋回可能に嵌め込まれ、下面部に固定カム体６のカム斜面７に
当接するカム斜面９を形成したカム従動体８と、カム従動体８の中央部に貫通して固設さ
れ、可動側翼板４の垂直軸孔１０に上部を挿入固定され、下部を固定カム体６の垂直軸孔
１１に旋回可能に挿入される軸棒１２とからなり、
固定側翼板２に制止突起１３を設け、可動側翼板４に係止突起１４を設け、扉閉鎖時に
係止突起１４が制止突起１３の下側位置において制止突起１３に係合する一方、扉開放時
に係止突起１４と制止突起１３の係合が解かれるように制止突起１３と係止突起１４を配
置し、可動側翼板４の正面側にポケット部１５を凹み形成し、ポケット部１５の底壁部１
６に扉３への固着用ボルト１７の挿入孔１８を形成し、固着用ボルト１７を隠蔽するカバー板１９をポケット部１５に嵌め込み装着するようにした自動閉鎖型蝶番において、
ポケット部１５の底壁部１６の正面側に左右一対の支持壁部２０，２１を突出形成し、
扉閉鎖時に固定側翼板２に対面する側の一方の支持壁部２０に螺子孔２２を形成し、固定
側翼板２より遠い側にある他方の支持壁部２１に接合用スリット２３を形成し、カバー板
１９の一方の側壁部１９ａに接合用突起２４を形成し、カバー板１９の他方の側壁部１９
ｂに受孔２５を形成してあり、
一対の支持壁部２０，２１に被せるようにしてカバー板１９をポケット部１５に嵌め合
わせ、カバー板１９の接合用突起２４を支持壁部２１の接合用スリット２３に嵌め込み、
カバー板１９の受孔２５より固定用ビス２６を支持壁部２０の螺子孔２２に捻じ込むこと
によって、カバー板１９を可動側翼板４に固着することを特徴とする自動閉鎖型蝶番。
【請求項２】
側面ブラケット体２７を介して固定枠体１に固着される固定側翼板２と、扉３に固着さ
れる可動側翼板４と、固定側翼板２の垂直軸孔５の底部に設けられ、上面部にカム斜面７
を形成した固定カム体６と、固定側翼板２の垂直軸孔５に旋回可能に嵌め込まれ、下面部
に固定カム体６のカム斜面７に当接するカム斜面９を形成したカム従動体８と、カム従動
体８の中央部に貫通して固設され、可動側翼板４の垂直軸孔１０に上部を挿入固定され、
下部を固定カム体６の垂直軸孔１１に旋回可能に挿入される軸棒１２とからなり、
固定側翼板２に制止突起１３を設け、可動側翼板４に係止突起１４を設け、扉閉鎖時に
係止突起１４が制止突起１３の下側位置において制止突起１３に係合する一方、扉開放時
に係止突起１４と制止突起１３の係合が解かれるように制止突起１３と係止突起１４を配
置し、可動側翼板４の正面側にポケット部１５を凹み形成し、ポケット部１５の底壁部１
６に扉３への固着用ボルト１７の挿入孔１８を形成し、固着用ボルト１７を隠蔽するカバ
ー板１９をポケット部１５に嵌め込み装着し、側面ブラケット体２７の正面側に窪み部２
８を凹み形成し、該窪み部２８の底壁部２９に固定枠体１への固着用ボルト３０の挿入孔
３１を形成し、固着用ボルト３０を隠す遮蔽板３２を前記窪み部２８に嵌め込み装着する
ようにした自動閉鎖型蝶番において、
ポケット部１５の底壁部１６の正面側に左右一対の支持壁部２０，２１を突出形成し、
扉閉鎖時に固定側翼板２に対面する側の一方の支持壁部２０に螺子孔２２を形成し、固定
側翼板２より遠い側にある他方の支持壁部２１に接合用スリット２３を形成し、カバー板
１９の一方の側壁部１９ａに接合用突起２４を形成し、カバー板１９の他方の側壁部１９
ｂに受孔２５を形成してあり、
側面ブラケット体２７の一側の側壁面部に連結用溝部３３を形成し、側面ブラケット体２７の反対側の側壁面部に螺子孔３４を形成し、遮蔽板３２の一側の側壁部３２ａに連結用突起３５を形成し、側壁部３２ａとは反対側にある遮蔽板３２の側壁部３２ｂに受孔３６を形成してあり、
一対の支持壁部２０，２１に被せるようにしてカバー板１９をポケット部１５に嵌め合
わせ、カバー板１９の接合用突起２４を支持壁部２１の接合用スリット２３に嵌め込み、
カバー板１９の受孔２５より固定用ビス２６を支持壁部２０の螺子孔２２に捻じ込むこと
によって、カバー板１９を可動側翼板４に固着し、
遮蔽板３２の連結用突起３５を側面ブラケット体２７の連結用溝部３３に嵌め込んで、遮蔽板３２を側面ブラケット体２７の窪み部２８に嵌め合わせ、扉閉鎖時に可動側翼板４に対面する側面部に形成した固定側翼板２の貫通孔３７及び遮蔽板３２の前記受孔３６から側面ブラケット体２７の螺子孔３４に固定用ビス３８を捻じ込むことによって、固定側翼板２及び遮蔽板３２を側面ブラケット体２７に固着することを特徴とする自動閉鎖型蝶番。
【発明の詳細な説明】
【技術分野】
【０００１】
本発明は、冷蔵庫等の扉に使用され、斜面カムと扉自重の利用によって扉が自動的に閉鎖回転する蝶番に関するものである。
【背景技術】
【０００２】
固定枠体に固着される固定側翼板と、扉に固着される可動側翼板と、固定側翼板の垂直軸孔の底部に設けられ、上面部にカム斜面を形成した固定カム体と、固定側翼板の垂直軸孔に旋回可能に嵌め込まれ、下面部に固定カム体のカム斜面に当接するカム斜面を形成したカム従動体と、カム従動体の中央部に貫通して固設され、可動側翼板の垂直軸孔に上部を挿入固定され、下部を固定カム体の垂直軸孔に旋回可能に挿入される軸棒とからなる自動閉鎖型蝶番は既に知られている（例えば特許文献１参照）。
【０００３】
この自動閉鎖型蝶番では、扉閉鎖状態と扉開放状態のいずれにおいてもカム従動体を固定側翼板の垂直軸孔から抜き取ることができるため、可動側翼板と固定側翼板の結合を解除して扉を固定枠体から取外すことができる。
しかしながら、扉閉鎖時においても可動側翼板と固定側翼板の結合を解除することができるということは、蝶番による吊元側とは反対側に別個装備した扉用ロックハンドル装置によって扉を固定枠体に対して堅固に施錠して置いたとしても、扉を無断開放できることを意味している。
【０００４】
上記自動閉鎖型蝶番の改良では、固定側翼板に制止突起を設け、可動側翼板に係止突起を設け、扉閉鎖時に制止突起の下側位置において制止突起に係合する一方、扉開放時に係止突起と制止突起の係合が解かれるように制止突起と係止突起１４を配置している（特許文献２参照）。
この自動閉鎖型蝶番では、扉閉鎖状態においては制止突起と係止突起が係合するため、可動側翼板は固定側翼板に沿って上方移動できない。可動側翼板を固定側翼板から分離することができない。
【０００５】
このようにカム従動体を固定側翼板の垂直軸孔から抜き取ることによる可動側翼板と固定側翼板の分離が阻止された結果、今度は、可動側翼板と扉の固着を解除して扉を取り外すことが企図されるようになった。
【０００６】
従来の自動閉鎖型蝶番では、可動側翼板の正面側にポケット部を凹み形成し、ポケット部の底壁部に形成した挿入孔から固着用ボルトを挿入して可動側翼板を扉に固着し、ポケット部に嵌め込み装着した断面Ｕ字形状のカバー板によって固着用ボルトの頭部を隠蔽している。
【０００７】
しかしながら、このカバー板の嵌め込み装着は、ポケット部の底壁部の正面側に左右一対の支持壁部を突出形成し、両方の支持壁部の付け根部外面に接合用受溝部を形成し、断面Ｕ字形状のカバー板の左右の側壁部先端に接合用フックを形成し、前記一対の支持壁部に被せるようにしてカバー板を前記ポケット部に嵌め合わせ、カバー板の前記接合用フックを両支持壁部の前記接合用受溝部に弾性係合させることによって行われているだけであるため、カバー板の取り外しは意図すれば簡単に行なわれ、固着用ボルトの頭部を露出させることができ、可動側翼板と扉の接合を解除することができるようになった。
【０００８】
【特許文献１】特公昭５２−１９３９４号公報
【特許文献２】特許第３３５６２６７号公報
【発明の開示】
【発明が解決しようとする課題】
【０００９】
本発明の課題は、可動側翼板を扉に固着するボルトの隠蔽用カバー板が、扉閉鎖状態においては可動側翼板から取り外せないようにした自動閉鎖型蝶番を提供することである。
また、本発明の別の課題は、側面ブラケット体を介して固定側翼板を固定枠体に固着する使用形態において、側面ブラケット体を固定枠体に固着するボルトの隠蔽用遮蔽板が、扉閉鎖状態においては側面ブラケット体から取り外せないようにした自動閉鎖型蝶番を提供することである。
【課題を解決するための手段】
【００１０】
以下、添付図面中の参照符号を用いて説明すると、請求項１の発明の主たる特徴は、  固定枠体１に固着される固定側翼板２と、扉３に固着される可動側翼板４と、固定側翼板２の垂直軸孔５の底部に設けられ、上面部にカム斜面７を形成した固定カム体６と、固定側翼板２の垂直軸孔５に旋回可能に嵌め込まれ、下面部に固定カム体６のカム斜面７に当接するカム斜面９を形成したカム従動体８と、カム従動体８の中央部に貫通して固設され、可動側翼板４の垂直軸孔１０に上部を挿入固定され、下部を固定カム体６の垂直軸孔１１に旋回可能に挿入される軸棒１２とからなり、
固定側翼板２に制止突起１３を設け、可動側翼板４に係止突起１４を設け、扉閉鎖時に
係止突起１４が制止突起１３の下側位置において制止突起１３に係合する一方、扉開放時
に係止突起１４と制止突起１３の係合が解かれるように制止突起１３と係止突起１４を配
置し、可動側翼板４の正面側にポケット部１５を凹み形成し、ポケット部１５の底壁部１
６に扉３への固着用ボルト１７の挿入孔１８を形成し、固着用ボルト１７を隠蔽するカバー板１９をポケット部１５に嵌め込み装着するようにした自動閉鎖型蝶番において、
ポケット部１５の底壁部１６の正面側に左右一対の支持壁部２０，２１を突出形成し、
扉閉鎖時に固定側翼板２に対面する側の一方の支持壁部２０に螺子孔２２を形成し、固定
側翼板２より遠い側にある他方の支持壁部２１に接合用スリット２３を形成し、カバー板
１９の一方の側壁部１９ａに接合用突起２４を形成し、カバー板１９の他方の側壁部１９
ｂに受孔２５を形成してあり、
一対の支持壁部２０，２１に被せるようにしてカバー板１９をポケット部１５に嵌め合
わせ、カバー板１９の接合用突起２４を支持壁部２１の接合用スリット２３に嵌め込み、
カバー板１９の受孔２５より固定用ビス２６を支持壁部２０の螺子孔２２に捻じ込むこと
によって、カバー板１９を可動側翼板４に固着することである。
【００１１】
請求項２の発明の主たる特徴は、側面ブラケット体２７を介して固定枠体１に固着される固定側翼板２と、扉３に固着される可動側翼板４と、固定側翼板２の垂直軸孔５の底部に設けられ、上面部にカム斜面７を形成した固定カム体６と、固定側翼板２の垂直軸孔５に旋回可能に嵌め込まれ、下面部に固定カム体６のカム斜面７に当接するカム斜面９を形成したカム従動体８と、カム従動体８の中央部に貫通して固設され、可動側翼板４の垂直軸孔１０に上部を挿入固定され、下部を固定カム体６の垂直軸孔１１に旋回可能に挿入される軸棒１２とからなり、
固定側翼板２に制止突起１３を設け、可動側翼板４に係止突起１４を設け、扉閉鎖時に係止突起１４が制止突起１３の下側位置において制止突起１３に係合する一方、扉開放時に係止突起１４と制止突起１３の係合が解かれるように制止突起１３と係止突起１４を配置し、可動側翼板４の正面側にポケット部１５を凹み形成し、ポケット部１５の底壁部１６に扉３への固着用ボルト１７の挿入孔１８を形成し、固着用ボルト１７を隠蔽するカバー板１９をポケット部１５に嵌め込み装着し、側面ブラケット体２７の正面側に窪み部２８を凹み形成し、該窪み部２８の底壁部２９に固定枠体１への固着用ボルト３０の挿入孔３１を形成し、固着用ボルト３０を隠す遮蔽板３２を前記窪み部２８に嵌め込み装着するようにした自動閉鎖型蝶番において、
ポケット部１５の底壁部１６の正面側に左右一対の支持壁部２０，２１を突出形成し、
扉閉鎖時に固定側翼板２に対面する側の一方の支持壁部２０に螺子孔２２を形成し、固定
側翼板２より遠い側にある他方の支持壁部２１に接合用スリット２３を形成し、カバー板
１９の一方の側壁部１９ａに接合用突起２４を形成し、カバー板１９の他方の側壁部１９
ｂに受孔２５を形成してあり、
側面ブラケット体２７の一側の側壁面部に連結用溝部３３を形成し、側面ブラケット体２７の反対側の側壁面部に螺子孔３４を形成し、遮蔽板３２の一側の側壁部３２ａに連結用突起３５を形成し、側壁部３２ａとは反対側にある遮蔽板３２の側壁部３２ｂに受孔３６を形成してあり、
一対の支持壁部２０，２１に被せるようにしてカバー板１９をポケット部１５に嵌め合
わせ、カバー板１９の接合用突起２４を支持壁部２１の接合用スリット２３に嵌め込み、
カバー板１９の受孔２５より固定用ビス２６を支持壁部２０の螺子孔２２に捻じ込むこと
によって、カバー板１９を可動側翼板４に固着し、
遮蔽板３２の連結用突起３５を側面ブラケット体２７の連結用溝部３３に嵌め込んで、遮蔽板３２を側面ブラケット体２７の窪み部２８に嵌め合わせ、扉閉鎖時に可動側翼板４に対面する側面部に形成した固定側翼板２の貫通孔３７及び遮蔽板３２の前記受孔３６から側面ブラケット体２７の螺子孔３４に固定用ビス３８を捻じ込むことによって、固定側翼板２及び遮蔽板３２を側面ブラケット体２７に固着することである。
【発明の効果】
【００１２】
請求項１の発明の自動閉鎖型蝶番では、可動側翼板４のポケット部１５にカバー板１９を嵌め込み装着する前の段階で可動側翼板４が扉３の所定位置に突き当てられ、ポケット部１５の底壁部１６の挿入孔１８を通る固着用ボルト１７によって可動側翼板４が扉３に締め付け固着され、その後、カバー板１９の接合用突起２４を支持壁部２１の接合用スリット２３に嵌め込んでから、カバー板１９の受孔２５より固定用ビス２６を支持壁部２０の螺子孔２２に捻じ込むことによって、カバー板１９がポケット部１５に嵌め込み装着されるのであるが、前記螺子孔２２は扉閉鎖時に固定側翼板２に対面する支持壁部２０に形成されているから、固定用ビス２６へのアクセスは近接位置にある固定側翼板２の側壁面部によって確実に阻止されることになり、カバー板１９を扉閉鎖状態において可動側翼板４から取り外し、可動側翼板４の固着用ボルト１７の頭部を露出させることができない。
【００１３】
請求項２の発明の自動閉鎖型蝶番では、請求項１の発明と同様に、可動側翼板４のポケット部１５にカバー板１９を嵌め込み装着する前の段階で可動側翼板４が扉３の所定位置に突き当てられ、ポケット部１５の底壁部１６の挿入孔１８を通る固着用ボルト１７によって可動側翼板４が扉３に締め付け固着され、その後、カバー板１９の接合用突起２４を支持壁部２１の接合用スリット２３に嵌め込んでから、カバー板１９の受孔２５より固定用ビス２６を支持壁部２０の螺子孔２２に捻じ込むことによって、カバー板１９がポケット部１５に嵌め込み装着されるのであるが、前記螺子孔２２は扉閉鎖時に固定側翼板２に対面する支持壁部２０に形成されているから、固定用ビス２６へのアクセスは近接位置にある固定側翼板２の側壁面部によって確実に阻止されることになり、カバー板１９を扉閉鎖状態において可動側翼板４から取り外し、可動側翼板４の固着用ボルト１７の頭部を露出させることができない一方、
側面ブラケット体２７の窪み部２８に遮蔽板３２を嵌め込み装着する前の段階で側面ブラケット体２７が固定枠体１の所定位置に突き当てられ、窪み部２８の底壁部２９の挿入孔３１を通る固着用ボルト３０によって側面ブラケット体２７が固定枠体１に締め付け固着され、その後、遮蔽板３２の連結用突起３５を側面ブラケット体２７の連結用溝部３３に嵌め込んでから、固定側翼板２を側面ブラケット体２７に突き合わせ、固定側翼板２の貫通孔３７及び遮蔽板３２の前記受孔３６より側面ブラケット体２７の螺子孔３４に固定用ビス３８を捻じ込むことによって、貫通孔３７は扉閉鎖時に可動側翼板４に対面する側面部に形成されているから、固定用ビス３８へのアクセスは近接位置にある可動側翼板４の側面部によって確実に阻止されることになり、遮蔽板３２を扉閉鎖状態において側面ブラケット体２７から取り外し、側面ブラケット体２７の固着用ボルト３０の頭部を露出させることもできない。
【実施例】
【００１４】
図１から図４に示した実施例は請求項１の発明に係るものであり、固定側翼板２は側面ブラケット体を介さずに直接、固定枠体１に対して締め付け固着されるものである。
固定カム体６は固定側翼板２とは別個に製作され、固定側翼板２の垂直軸孔５の底部に相対回転不能に嵌め込み固定されている。固定カム体６と各従動体８は耐摩耗性の大きいプラスチック材料等で製作される。軸棒１２の上部は可動側翼板４に固着され、カム従動体８は可動側翼板４に一体に連結されている。なお、固定カム体６は固定側翼板２と一体物に成形することもでき、カム従動体８は軸棒１２と一体物に成形することもできる。
【００１５】
固定側翼板２は３個の挿入孔４０を通る固着用ボルト３９によって固定枠体１に締め付け固着されている。固定カム体６にはカム斜面７の末端部に平坦面部を形成し、カム従動体８にはカム斜面９の末端部に平坦面部を形成してあるため、カム従動体８の平坦面部が固定カム体６の平坦面部に乗り上げる位置まで扉３を追加回転させた時には、扉３は開放位置に保持される。扉閉鎖時には、扉３を手で押してカム従動体８の平坦面部を固定カム体６の平坦面部から落としてやる。これによって自動閉鎖が開始される。
【００１６】
図１と図４に示したように扉閉鎖状態においては、係止突起１４が制止突起１３の下側位置において制止突起１３に係合するため、カム従動体８の軸棒１２を固定側翼板２の固定カム体６の垂直軸孔１１から抜き取って、可動側翼板４を固定側翼板２から分離することができない。
カム従動体８と固定カム体５との協働作用によって可動側翼板４が螺旋回動して、扉３が所定の開放位置に到達したときには、可動側翼板４の係止突起１４と固定側翼板２の制止突起１３との係合が解かれているため、必要に応じてカム従動体８の軸棒１２を固定カム体６の垂直軸孔１１から抜き取って、扉３を固定枠体１から取り外すことができる。
【００１７】
カバー板１９の接合用突起２４は爪板状に内向きに２個形成されている。固定側翼板２の制止突起１３、可動側翼板４の係止突起１４、可動側翼板４の接合用スリット２３、可動側翼板４の螺子孔２２は、この自動閉鎖型蝶番を左右反転して左勝手用扉と右勝手用扉に兼用できるように、左右一対に形成されている。カバー板１９の受孔２５は中央部に１個形成されている。ポケット部１５の底壁部１６に突き当てられる座金板４１には挿入孔１８に連通する挿入孔が形成されている。
【００１８】
図５から図８に示した実施例は請求項２の発明に係るものであり、固定側翼板２は側面ブラケット体２７を介して固定枠体１に固着されている。それ以外の構成は図１から図４の前記実施例と同様である。固定側翼板２は固定枠体１に対して突き合されるのではなくて、側面ブラケット体２７の側面部に突き合されている。この固定側翼板２としては、図１から図４の前記実施例における固定側翼板２と同じものが９０度向きを変えて使用されており、前記実施例における固着用ボルト３９の挿入孔４０が、本実施例では、固定用ビス３８が挿入される貫通孔３７となっている。
【００１９】
遮蔽板３２の連結用突起３５は爪板状に内向きに２個形成されている。固定側翼板２の制止突起１３、可動側翼板４の係止突起１４、可動側翼板４の接合用スリット２３、可動側翼板４の螺子孔２２は、この自動閉鎖型蝶番を左右反転して左勝手用扉と右勝手用扉に兼用できるように、左右一対に形成されている。また、固定側翼板２の貫通孔３７が３個形成されている一方、側面ブラケット体２７の螺子孔３４は６個形成されている。そのため、側面ブラケット体２７は上下反転して左勝手用扉と右勝手用扉に兼用できる。
【図面の簡単な説明】
【００２０】
【図１】請求項１の発明の一実施例に係る自動閉鎖型蝶番の正面図である。
【図２】図１の自動閉鎖型蝶番の平面図である。
【図３】図１のＡ−Ａ線断面図である。
【図４】図２のＢ−Ｂ線断面図である。
【図５】請求項２の発明の一実施例に係る自動閉鎖型蝶番の正面図である。
【図６】図５の自動閉鎖型蝶番の平面図である。
【図７】図５のＣ−Ｃ線断面図である。
【図８】図６のＤ−Ｄ線断面図である。
【符号の説明】
【００２１】
１  固定枠体
２  固定側翼板
３  扉
４  可動側翼板
５  固定側翼板の垂直軸孔
６  固定カム体
７  固定カム体のカム斜面
８  カム従動体
９  カム従動体のカム斜面
１０  可動側翼板の垂直軸孔
１１  固定カム体の垂直軸孔
１２  軸棒
１３  制止突起
１４  係止突起
１５  ポケット部
１６  ポケット部の底壁部
１７  可動側翼板の固着用ボルト
１８  挿入孔
１９  カバー板
２０  ポケット部の支持壁部
２１  ポケット部の支持壁部
２２  螺子孔
２３  接合用スリット
２４  接合用突起
２５  受孔
２６  カバー板の固定用ビス
２７  側面用ブラケット体
２８  窪み部
２９  窪み部の底壁部
３０  側面ブラケット体の固着用ボルト
３１  挿入孔
３２  遮蔽板
３３  連結用溝部
３４  螺子孔
３５  連結用突起
３６  受孔
３７  固定翼板の貫通孔
３８  固定用ビス
【図１】
2005171698.tif 000003
【図２】
2005171698.tif 000004
【図３】
2005171698.tif 000005
【図４】
2005171698.tif 000006
【図５】
2005171698.tif 000007
【図６】
2005171698.tif 000008
【図７】
2005171698.tif 000009
【図８】
2005171698.tif 000010